(57)【要約】      （修正有）【課題】電極板の極性を自動的に切り替えることが可能な水素水生成機を提供する。【解決手段】電極板極性自動切替水素水生成機２は、本体２０と、電極ケース２２とを含む。本体２０は、ロジックコントローラ２０１と切替スイッチ２０２とを含む。電極ケース２２は、第１電極板２２１と、第２電極板２２２と、１軸加速度計２２３とを含む。第１電極板２２１は、第１極性を有する。第２電極板２２２は、第２極性を有する。１軸加速度計２２３は、第１電極板２２１と第２電極板２２２の位置を検出し検出信号を発生する。ロジックコントローラ２０１が１軸加速度計２２３に電気的に接続されるとともに、検出信号を受信して制御信号を発生させる。切替スイッチ２０２が第１電極板２２１、第２電極板２２２、及びロジックコントローラ２０１に電気的に接続され、制御信号によって第１電極板２２１と第２電極板２２２の極性を切り替える。【選択図】図２Ａ
0003202527.tif 000002
【実用新案登録請求の範囲】
【請求項１】
第１極性を有する第１電極板と、
第２極性を有する第２電極板と、
前記第１電極板と前記第２電極板の位置を検出し検出信号を発生する１軸加速度計と、を有する電極ケースと、
前記１軸加速度計に電気的に接続されるとともに、前記検出信号を受信して制御信号を発生させるロジックコントローラと、
前記第１電極板、前記第２電極板、及び前記ロジックコントローラに電気的に接続され、前記制御信号によって前記第１電極板及び前記第２電極板の極性を切り替える切替スイッチと、を含む、
電極板極性自動切替水素水生成機。
【請求項２】
前記１軸加速度計は重力加速度計を含むことを特徴とする請求項１記載の電極板極性自動切替水素水生成機。
【請求項３】
前記切替スイッチは双極双投リレーを含むことを特徴とする請求項１記載の電極板極性自動切替水素水生成機。
【請求項４】
前記双極双投リレーは、直流電源の正極及び負極に電気的に接続されていることを特徴とする請求項１記載の電極板極性自動切替水素水生成機。
【請求項５】
前記位置は、前記第１電極板が前記第２電極板より上方にある位置、或いは、前記第２電極板が前記第１電極より上方にある位置を含むことを特徴とする請求項１記載の電極板極性自動切替水素水生成機。
【請求項６】
前記第１極性は、正極性または負極性を含むことを特徴とする請求項５記載の電極板極性自動切替水素水生成機。
【請求項７】
前記第２極性は、正極性または負極性を含むことを特徴とする請求項６記載の電極板極性自動切替水素水生成機。
【請求項８】
前記制御信号は、論理高レベル信号及び論理低レベル信号を含むことを特徴とする請求項７記載の電極板極性自動切替水素水生成機。
【請求項９】
前記ロジックコントローラが前記切替スイッチまでに論理高レベル信号を発生すると、前記第１電極板は前記第１極性から前記第２極性に切り替えられ、前記第２電極板は前記第２極性から前記第１極性に切り替えられることを特徴とする請求項８記載の電極板極性自動切替水素水生成機。
【請求項１０】
前記ロジックコントローラが前記切替スイッチまでに論理低レベル信号を発生すると、前記切替スイッチがディスエイブル状態になることを特徴とする請求項８記載の電極板極性自動切替水素水生成機。
【考案の詳細な説明】
【技術分野】
【０００１】
本考案は、水素水生成機に関し、特に、電極板の極性を自動的に切り替えることが可能な水素水生成機に関する。
【背景技術】
【０００２】
現代人は、生活で忙しく、情緒的に緊張するため、多くの人々は、気持ちをリラックスし、エネルギーを高める様々な方法を積極的に探してきた。その中で、近年に幅広く適用されているのは、ユーザが水素水生成機を利用して水分子を電解して水素ガスと酸素ガスを発生し、ユーザに吸収させるといった方法である。
【０００３】
図１Ａ及び図１Ｂを併せて参照し、従来の水素水生成機の使用状態の模式図及び電極板の極性の模式図を示す。
図１Ａは、水素水生成機１の本体１０と電極ケース１２を示す。電極ケース１２内に、本体１０の直流電源１０１の正極及び負極に電気的に接続された２つの電極板１２１、１２２が設けられている。
水素水生成機１の作動原理は、正、負極性の電極板１２１、１２２を水の中に入れて、水を電解して正の電気を持つ水素イオンと負の電気を持つ水酸化物イオンを生成することである。電解過程において、水素イオンが正の電気を、水酸化物イオンが負の電気を持つため、発生された水素イオンと水酸化物イオンは、それぞれ、負極性の電極板１２２および正極性の電極板１２１の周りに堆積し、かつ水素イオンが電子と活性水素に結合されるが、活性水素は安定的でないため、２つの活性水素から水素ガスを形成し、また、水酸化物イオンは電子を失って酸素ガスを生成することになる。
【０００４】
しかしながら、ユーザが水素水生成機１を使用する際に、外観から電極ケース１２内の電極板１２１、１２２の極性を判断できず、水素ガスまたは酸素ガスを吸収しようとする自分の要求に応じて電極ケース１２の位置を正しく配置することができない。
【０００５】
より具体的には、ユーザがより多い水素ガスを吸い込みたい場合、電極ケース１２を置く好適な位置として、水を電解した後に発生された水素ガスを、水の中から空気の中に発散させ、ユーザに大量で急速に吸収させるように、負極性を持つ電極板１２２をユーザ寄りに、つまり上に向って放置すべきである。
一方、ユーザがより多い酸素ガスを吸い込みたい場合、電極ケース１２を置く最適な位置として、水を電解した後に発生された酸素ガスを、水の中から空気の中に発散させ、ユーザに大量で急速に吸収させるように、正極性を持つ電極板１２１をユーザ寄りに、つまり上に向って放置すべきである。
【０００６】
また、電極板１２１、１２２の極性は、一定であるため、電極板と水の中の鉱物質は、電解的化学変化によって表面上に特定の沈殿物が生じ、両電極板１２１、１２２の正、負極性が異なるため、正極性の電極板１２１と負極性の電極１２２とが発生した沈殿物の属性も異なり、さらには属性が反対の物質である。そのため、経年すると、沈殿物が電極板１２１、１２２の表面に積み重なって除去できなくなり、電極板１２１、１２２がショートする問題を生じる恐れがある。
【０００７】
そのため、ユーザの要求に応じて、酸素・水素製造装置の電極板の極性を自動的に切り替えることが可能なものを、どのように提供するかが、現在早急に取り上げる必要がある研究課題になっている。
【考案の概要】
【考案が解決しようとする課題】
【０００８】
上述の問題に鑑みて、本考案は、電極板の極性を自動的に切り替えることが可能な電極板極性自動切替水素水生成機であって、本体と、電極ケースとを含む電極板極性自動切替水素水生成機を提供することを主な目的とする。
【課題を解決するための手段】
【０００９】
本体は、ロジックコントローラと切替スイッチとを含む。電極ケースは、第１電極板と、第２電極板と、１軸加速度計とを含む。第１電極板は、第１極性を有する。第２電極板は、第２極性を有する。１軸加速度計は、第１電極板と第２電極板の位置を検出し検出信号を発生する。ロジックコントローラが１軸加速度計に電気的に接続されるとともに、検出信号を受信して制御信号を発生させる。切替スイッチが第１電極板、第２電極板、及びロジックコントローラに電気的に接続され、制御信号によって第１電極板と第２電極板の極性を切り替える。
【００１０】
以上のように、本考案の水素水生成機は、電極板の極性を自動的に切り替えることで、ユーザの要求に合わせて、ユーザ寄りの電極板にユーザの必要な酸素イオンまたは水素イオンを発生させることができる。よって、ユーザは、電極板極性自動切替水素水生成機をより便利に利用することができる。
【図面の簡単な説明】
【００１１】
【図１Ａ】従来の水素水生成機の使用状態の模式図である。
【図１Ｂ】従来の水素水生成機の電極板の極性の模式図である。
【図２Ａ】本考案に係る電極板極性自動切替水素水生成機の電気回路図である。
【図２Ｂ】本考案に係る電極板極性自動切替水素水生成機の作動図である。
【考案を実施するための形態】
【００１２】
図２Ａ及び図２Ｂを併せて参照し、本考案に係る電極板極性自動切替水素水生成機の電気回路図及び作動図を示す。
電極板極性自動切替水素水生成機２は、本体２０と、電極ケース２２とを含む。本体２０は、ロジックコントローラ２０１と切替スイッチ２０２とを含む。電極ケース２２は、第１電極板２２１と、第２電極板２２２と、１軸加速度計２２３とを含む。第１電極板２２１は、第１極性を有する。第２電極板２２２は、第２極性を有する。１軸加速度計２２３は、第１電極板２２１と第２電極板２２２の位置を検出し検出信号を発生する。ロジックコントローラ２０１が１軸加速度計２２３に電気的に接続されるとともに、検出信号を受信して制御信号を発生させる。切替スイッチ２０２が第１電極板２２１、第２電極板２２２、及びロジックコントローラ２０１に電気的に接続され、制御信号によって第１電極板２２１と第２電極板２２２の極性を切り替える。
【００１３】
以上のように、１軸加速度２２３は、重力加速度計を含み、第１電極板２２１および第２電極板２２２の対向位置を検出するために用いられる。より具体的に、第１電極板２２１の極性は正極性であると、第２電極板２２２の極性は負極性となる。第１電極板２２１の極性は負極性であると、第２電極板２２２の極性は正極性となる。
実際の使用時、第１電極板２２１は、第２電極板２２２より上方（ユーザ寄りの位置）に位置し、或いは、第２電極板２２２は、第１電極２２１より上方（ユーザ寄りの位置）に位置している。そのため、重力加速度計で、ユーザの要求に応じて、デフォルト値を予め設定しておけばよい。例えば、負極性を持つ第１電極板２２が第２電極板２２２より上方に位置されるよう予め設定し、この際に、重力加速度計は、ロジックコントローラ２０１がディスエイブルの制御信号を切替スイッチ２０２まで転送するように、ディスエイブル（ｄｉｓａｂｌｅ）の検出信号をロジックコントローラ２０１に転送する。すなわち、ロジックコントローラ２０１は、切替スイッチ２０２までに論理低レベル信号を発生し、切替スイッチ２０２がディスエイブル状態になり、切替スイッチ２０２が作動しない。第１電極板２２１は、元の負極性のまま、第２電極板２２２は元の正極性のままであり、さらに、この時、第１電極板２２１はユーザ寄りに位置し、水素水生成機２が発生する水素を、ユーザに大量で急速に吸収させることができるようになっている。
【００１４】
以上のように、負極性を持つ第１電極板２２１は、第２電極板２２２より下方に位置されると、この際に、重力加速度計が、ロジックコントローラ２０１がディスエイブルの制御信号を切替スイッチ２０２まで転送するように、ディスエイブルの検出信号をロジックコントローラ２０１に転送する。すなわち、ロジックコントローラ２０１は、切替スイッチ２０２までに論理高レベル信号を発生し、第１電極板２２１は第１極性から第２極性に切り替えられ、第２電極板２２２は第２極性から第１極性に切り替えられる。より具体的には、切替スイッチ２０２は、受信した論理高レベル信号によって作動し、第１電極板２２１が直流電源２０３の正極性に電気的に接続され、第２電極板２２２が直流電源２０３の負極性に電気的に接続されるように、電極板に電気的に接続する極性を切り替える。この時、ユーザ寄りの位置にある第二電極片２２２は負の極性であるため、ユーザ寄りの水素水生成機２の電極板が依然として水素ガスを発生し、ユーザに大量で急速に吸収させる。
【００１５】
前記実施例では、ユーザがより多い水素ガスを吸収したい例として説明したが、同様に、ユーザがより多い酸素ガスを吸収したい場合、ユーザ寄りの位置にある電極板の極性が正極であるように水素水生成機のデフォルト値を設定すれば、ユーザが大量で急速に水素水生成機から水を分解して得た酸素ガスを吸収することが可能になる。同じ方法と原理動作についてはここで繰り返し説明しない。
【００１６】
また、本考案の実施例では、切替スイッチ２０２は、直流電源２０３の正極及び負極に電気的に接続された双極双投リレーを含む。なお、双極双投リレーは、ロジックコントローラ２０１が発生した論理高レベル信号及び論理低レベル信号の制御信号によって作動または作動しないようにし、さらに、直流電源２０３に電気的に接続された電極板の正極と負極を切り替えるようになっている。当業者は、双極双投リレーの原理及び動作を理解できるので、ここで詳しく説明しない。
【００１７】
前記実施例では、電極板極性自動切替水素水生成機２は、１軸加速度計２２３によって自動的に検出して電極板２２１、２２２の極性を切り替えるようになっている。しかしながら、本考案の他の実施例では、手動で電極板２２１、２２２の極性を切り替えてもよい。電極板２２１、２２２の極性を手動で切り替える具体的な実施形態は、例えば、前記双極双投リレーの切替スイッチ２０２を電極ケース２２の外部（図示せず）に設け、実物のプボタンをユーザが手動で切り替えるものとして機能する。
【００１８】
よって、本考案の水素水生成機は、電極板の極性を自動的に切り替えることで、ユーザの要求に合わせて、ユーザ寄りの電極板にユーザの必要な酸素イオンまたは水素イオンを発生させることができるため、ユーザは、電極板極性自動切替水素水生成機をより便利に利用することができる。
また、電極板の極性を変えることによって、一定の期間経過後、または沈殿物が積み重なってある程度の厚さに達した時、自動或いは手動で電極板の極性を切り替え、電極板に対抗する力を発生させ、互いに相殺して電極板を自動的に清浄する効果を達成することができる。
【００１９】
以上の説明は、本考案の好ましい実施例にすぎず、本考案の請求範囲を限定するものではなく、いずれの本考案の明細書及び図面内容を運用して実施した等価な構造変形も、本考案の範囲内に含まれるものであることは言うまでもない。
【符号の説明】
【００２０】
１、２  水素水生成機
１０、２０  本体
２０１  ロジックコントローラ
２０２  切替スイッチ
１０１、２０３  直流電源
１２、２２  電極ケース
１２１、１２２、２２１、２２２  電極板
２２３  １  軸加速度計
【図１Ａ】
0003202527.tif 000003
【図１Ｂ】
0003202527.tif 000004
【図２Ａ】
0003202527.tif 000005
【図２Ｂ】
0003202527.tif 000006
【手続補正書】
【提出日】平成27年12月1日(2015.12.1)
【手続補正１】
【補正対象書類名】実用新案登録請求の範囲
【補正対象項目名】全文
【補正方法】変更
【補正の内容】
【実用新案登録請求の範囲】
【請求項１】
第１極性を有する第１電極板と、
第２極性を有する第２電極板と、
前記第１電極板と前記第２電極板の位置を検出し検出信号を発生する１軸加速度計と、を有する電極ケースと、
前記１軸加速度計に電気的に接続されるとともに、前記検出信号を受信して制御信号を発生させるロジックコントローラと、
前記第１電極板、前記第２電極板、及び前記ロジックコントローラに電気的に接続され、前記制御信号によって前記第１電極板及び前記第２電極板の極性を切り替える切替スイッチと、を含む、
電極板極性自動切替水素水生成機。
【請求項２】
前記１軸加速度計は重力加速度計を含むことを特徴とする請求項１記載の電極板極性自動切替水素水生成機。
【請求項３】
前記切替スイッチは双極双投リレーを含むことを特徴とする請求項１記載の電極板極性自動切替水素水生成機。
【請求項４】
前記双極双投リレーは、直流電源の正極及び負極に電気的に接続されていることを特徴とする請求項３記載の電極板極性自動切替水素水生成機。
【請求項５】
前記位置は、前記第１電極板が前記第２電極板より上方にある位置、或いは、前記第２電極板が前記第１電極より上方にある位置を含むことを特徴とする請求項１記載の電極板極性自動切替水素水生成機。
【請求項６】
前記第１極性は、正極性または負極性を含むことを特徴とする請求項５記載の電極板極性自動切替水素水生成機。
【請求項７】
前記第２極性は、正極性または負極性を含むことを特徴とする請求項６記載の電極板極性自動切替水素水生成機。
【請求項８】
前記制御信号は、論理高レベル信号及び論理低レベル信号を含むことを特徴とする請求項７記載の電極板極性自動切替水素水生成機。
【請求項９】
前記ロジックコントローラが前記切替スイッチまでに論理高レベル信号を発生すると、前記第１電極板は前記第１極性から前記第２極性に切り替えられ、前記第２電極板は前記第２極性から前記第１極性に切り替えられることを特徴とする請求項８記載の電極板極性自動切替水素水生成機。
【請求項１０】
前記ロジックコントローラが前記切替スイッチまでに論理低レベル信号を発生すると、前記切替スイッチがディスエイブル状態になることを特徴とする請求項８記載の電極板極性自動切替水素水生成機。